(57)【要約】　　　（修正有）【課題】複数のホストで共有している複数のプリンタの電源管理装置、ファイルサーバ及び印刷システム並びにコンピュータ・ソフトウエアを提供する。【解決手段】複数のホスト装置４にネットワーク５を介して接続された複数のプリンタ３の電源を、ネットワーク５を介して管理する電源管理装置１において、ホスト稼働状態監視部１１６と、ホスト装置４にとってのプリンタ３の優先度及びプリンタ３の機能の優先度を設定するホスト別優先度設定部１１１と、ホスト稼働状態を考慮し、設定したホスト別優先度を集計して各プリンタの優先度を算出するプリンタ情報集計部１１３と、集計結果から各プリンタの稼働要否を判定するプリンタ電源判定部１１４と、プリンタ３の稼働要否判定に基づいて、プリンタの電源を遠隔操作するプリンタ電源制御部１１５とを備える。【選択図】　　　　図１
2004070817.tif 000002
【特許請求の範囲】
【請求項１】
複数のホスト装置にネットワークを介して接続された複数のプリンタの電源を、該ネットワークを介して管理する電源管理装置において、
前記ホスト装置の電源が入っているか監視するホスト稼働状態監視部と、各ホスト装置にとっての各プリンタの優先度及びプリンタの機能の優先度を設定するホスト別優先度設定部と、ホスト稼働状態を考慮し、設定したホスト別優先度を集計して各プリンタの優先度を算出するプリンタ情報集計部と、プリンタ情報集計部の集計結果から各プリンタの稼働要否を判定するプリンタ電源判定部と、各プリンタの稼働要否判定に基づいて、プリンタの電源を遠隔操作するプリンタ電源制御部とを備えることを特徴とする電源管理装置。
【請求項２】
上記ホスト別優先度設定部は、各ホスト装置にとっての各プリンタの優先度及びプリンタの機能の優先度を前記各ホスト装置の有する持ち点で設定し、このとき各プリンタの優先度を設定する持ち点とプリンタの機能の優先度を設定する持ち点とは異なるレート（重み付け）である請求項１記載の電源管理装置。
【請求項３】
請求項１又は２記載の電源管理装置と上記ネットワークで接続されたファイルサーバであって、
ユーザ及び印刷条件として指定されたプリンタの機能を格納可能なイベント資料ファイルとイベント開始日時とを対応づけたスケジュールデータファイルと、ユーザをホスト装置に対応づけた情報を格納するユーザ情報ファイルとに基づいて、指定されたプリンタの機能をホスト装置にとってのプリンタの機能の優先度に変換すると共に、変換した優先度をイベント開始日時よりも前に、電源管理装置のホスト別優先度設定部に通知するスケジュール管理手段を備えることを特徴とするファイルサーバ。
【請求項４】
上記スケジュール管理手段は、スケジュールデータファイルにさらにイベント終了日時を対応づけた場合には、イベント終了日時の所定の時間後に電源管理装置のホスト別優先度設定部に予め設定されていた優先度を再度設定するよう通知する請求項３記載のファイルサーバ。
【請求項５】
上記スケジュール管理手段は、スケジュールデータファイルにイベント資料配布日時と対応づけた場合には、イベント開始日時にかえて資料配布日時に基づいて、電源管理装置のホスト別優先度設定部に通知する請求項３記載のファイルサーバ。
【請求項６】
請求項１記載の電源管理装置と複数のホスト装置と複数のプリンタとからなり、これらがネットワークで接続された印刷システム。
【請求項７】
請求項１記載の電源管理装置と複数のホスト装置と複数のプリンタと請求項３記載のファイルサーバとからなり、これらがネットワークで接続された印刷システム。
【請求項８】
コンピュータに請求項１に記載の電源管理装置におけるプリンタ電源制御部としての機能を実現させるためのプログラムからなるコンピュータ・ソフトウエア。
【発明の詳細な説明】
【０００１】
【発明の属する技術分野】
本発明は、電源管理装置、ファイルサーバ及び印刷システム並びにコンピュータ・ソフトウエアであり、特に複数のプリンタを複数のホスト装置で共有する印刷システムに関する。
【０００２】
【従来の技術】
ネットワークプリンタを使用する全てのコンピュータの業務が終了されたことを自動的に検出し、ネットワークプリンタの電源を落とす自動電源装置が特開２０００−１７２４７４号公報で提案されている。また、特開２００１−１９９１３１号公報には、各プリンタに優先順位を設定することや、印刷頻度や間隔から、電源の投入切断や省エネルギーモードの制御を決定することが提案されている。
【０００３】
しかしながら、上記特開２０００−１７２４７４号公報には、複数のプリンタを複数のホストで共有する場合についての方策が開示されていない。また、上記公報では、最後の１台のホスト装置の停止を確認するまで、全てのプリンタの電源を入れておくためにエネルギーの無駄につながる。
【０００４】
また、上記特開２００１−１９９１３１号公報では、複数のプリンタを複数のホスト装置で共有する場合を想定しているが、省エネルギーモードにするプリンタを優先順位や使用頻度から決定しており、その設定は過去の使用状況は反映できるが、必ずしもその時点で予想される使用量に最適な設定になっているとは限らない。
【０００５】
そこで、本発明者は、特願２００２−１０６４３９で、予め各ホスト装置が使用するプリンタと、その優先度（必要性）を設定しておき、ホスト装置の電源状態を確認し、起動状態にあるホスト装置毎のプリンタ優先度の類型から、優先度が低いと判断されるプリンタの電源を切ることを提案した。これにより、各ホストの優先度と稼働状態から、プリンタの必要性を判定し電源管理を行なうことで、ユーザの手間を省き、ネットワーク全体の省エネルギー効果が得られる。
【０００６】
【発明が解決しようとする課題】
しかしながら、上記特願２００２−１０６４３９に開示の技術では、ネットワークに接続されている複数のプリンタ（および装着されたオプション）の機能や性能は考慮されておらず、それは同じとは限らない。また、ユーザもその時々の作業内容によっては特定の機能（性能）を備えたプリンタを必要とすることが考えられる。
【０００７】
例えば、普段はホスト装置に近いプリンタを専ら使用しているユーザが、会議資料等で頁数部数の多い印刷を行なうために、ホスト装置から遠い両面印刷可能なプリンタを使用する場合を想定する。このような場合、プリンタの優先度設定だけから、稼働しているホスト装置（残っているユーザ）に適したプリンタに電源を入れておくには、その都度ユーザが優先度設定を変更する必要がある。また、プリンタの数が多い場合、特定の機能（性能）を備えたプリンタを必要とする作業の多いユーザにとっては、プリンタに優先度を設定することで、稼働させておきたいプリンタを表現する場合は適切でない場合も考えられる。
【０００８】
本発明は、複数のホストで共有している複数のプリンタの電源管理の判定データとして、各ホストのプリンタ優先度と併せて（または代わりに）必要とされるプリンタの機能（性能）を指定でき、さらに、スケジュールに設定された特定業務に対応する必要機能（性能）を電源管理の判定データとして自動的・一時的に設定することが可能な電源管理装置、ファイルサーバ及び印刷システム並びにコンピュータ・ソフトウエアを提供する。
【０００９】
【課題を解決するための手段】
本発明は、複数のホスト装置にネットワークを介して接続された複数のプリンタの電源を、該ネットワークを介して管理する電源管理装置において、前記ホスト装置の電源が入っているか監視するホスト稼働状態監視部と、各ホスト装置にとっての各プリンタの優先度及びプリンタの機能の優先度を設定するホスト別優先度設定部と、ホスト稼働状態を考慮し、設定したホスト別優先度を集計して各プリンタの優先度を算出するプリンタ情報集計部と、プリンタ情報集計部の集計結果から各プリンタの稼働要否を判定するプリンタ電源判定部と、各プリンタの稼働要否判定に基づいて、プリンタの電源を遠隔操作するプリンタ電源制御部とを備える電源管理装置である。
【００１０】
ホスト別優先度設定部で、各ホスト装置にとっての各プリンタの優先度とプリンタの機能（性能）とを設定することで、ユーザの業務に必要な機能（性能）を備えたプリンタの電源を入れておくように指定することができる。
【００１１】
また、本発明は、上記ホスト別優先度設定部は、各ホスト装置にとっての各プリンタの優先度及びプリンタの機能の優先度を前記各ホスト装置の有する持ち点で設定し、このとき各プリンタの優先度を設定する持ち点とプリンタの機能の優先度を設定する持ち点とは異なるレート（重み付け）である電源管理装置である。
【００１２】
プリンタの機能に対する必要性は、ユーザの恣意や好みによって決定されることは少なくユーザの業務上の必要性に基づくと予想される。そこで、各プリンタの優先度を設定する持ち点とプリンタの機能の優先度を設定する持ち点とのレート（重み付け）を異ならせ、プリンタの機能の優先度を設定するための持ち点をより重くなるよう重み付けすることで、ユーザの業務に必要な機能を備えたプリンタの電源を確実に入れておくように指定することができる。
【００１３】
そして、本発明は、上記の電源管理装置と上記ネットワークで接続されたファイルサーバであって、ユーザ及び印刷条件として指定されたプリンタの機能を格納可能なイベント資料ファイルとイベント開始日時とを対応づけたスケジュールデータファイルと、ユーザをホスト装置に対応づけた情報を格納するユーザ情報ファイルとに基づいて、指定されたプリンタの機能をホスト装置にとってのプリンタの機能の優先度に変換すると共に、変換した優先度をイベント開始日時よりも前に、電源管理装置のホスト別優先度設定部に通知するスケジュール管理手段を備えるファイルサーバである。
【００１４】
スケジュールデータファイルに書き込まれたイベント開始日時に基づいて、イベントの開始日時よりも前に、印刷条件として指定されたプリンタの機能を優先度としてホスト別優先度設定部へ通知することで、ユーザの業務に必要とする機能を備えたプリンタの電源を自動的に入れておくように設定することができる。
【００１５】
更に、本発明は、上記スケジュール管理手段は、スケジュールデータファイルにさらにイベント終了日時を対応づけた場合には、イベント終了日時の所定の時間後に電源管理装置のホスト別優先度設定部に予め設定されていた優先度を再度設定するよう通知するファイルサーバである。
【００１６】
イベント終了日時の所定の時間後に、スケジュール管理手段はホスト別優先度設定部に予め設定されていた優先度を再度設定するように通知することで、イベント終了後、プリンタの優先度を通常設定されている状態に自動的に戻すことができる。
【００１７】
また、本発明は、上記スケジュール管理手段は、スケジュールデータファイルにイベント資料配布日時と対応づけた場合には、イベント開始日時にかえて資料配布日時に基づいて、電源管理装置のホスト別優先度設定部に通知するファイルサーバである。
【００１８】
イベント資料配布日時に基づいて、イベント資料配布日時よりも前に印刷条件として指定されたプリンタの機能を優先度としてホスト別優先度設定部へ通知することで、イベントに先立って資料を配布する場合にスケジュールデータファイルに設定したイベント開始日時の影響を受けることはなくなる。
【００１９】
そして、本発明は、上記の電源管理装置と複数のホスト装置と複数のプリンタとからなり、これらがネットワークで接続された印刷システムである。
【００２０】
ネットワークを介して、複数のホスト装置にとってのプリンタの優先度とプリンタの機能の優先度とを設定できる印刷システムとすることで、好適な業務環境をユーザに提供することができる。
【００２１】
更に、本発明は、上記の電源管理装置と複数のホスト装置と複数のプリンタと上記のファイルサーバとからなり、これらがネットワークで接続された印刷システムである。
【００２２】
複数のホスト装置にとってのプリンタの優先度とプリンタの機能の優先度とを、ファイルサーバを設けることで自動的に設定できる印刷システムとすることで、より好適な業務環境をユーザに提供することができる。
【００２３】
また、本発明は、コンピュータに上記の電源管理装置におけるプリンタ電源制御部としての機能を実現させるためのプログラムからなるコンピュータ・ソフトウエアである。
【００２４】
【発明の実施の形態】
本発明の実施の形態を説明する。本発明の電源管理装置、ファイルサーバ及び印刷システムの実施形態について、図１〜図１１を用いて説明する。図１は、実施の形態１の印刷システムの説明図である。図２は、実施の形態１の印刷システムにおける電源管理の手順の一例の説明図である。図３は、実施の形態１の印刷システムのホスト別優先度設定部における持ち点割当ての一例の説明図である。図４は、実施の形態１の印刷システムのプリンタ情報集計部における計算結果の一例の説明図である。図５は、実施の形態１の印刷システムのプリンタ情報集計部における計算結果の別の例の説明図である。図６は、実施の形態１の印刷システムのプリンタ情報集計部における計算結果の第３の例の説明図である。図７は、実施の形態２の印刷システムの説明図である。図８は、実施の形態２の印刷システムにおけるスケジュールデータファイルの一例の説明図である。図９は、実施の形態２の印刷システムにおけるホスト別優先度設定部の説明図である。図１０は、実施の形態２の印刷システムにおけるホスト装置の変形例の説明図である。図１１は、実施の形態２の印刷システムのスケジュールデータファイルの別の例の説明図である。
【００２５】
実施の形態１を説明する。本実施の形態の印刷システムは、図１に示すように電源管理装置である電源管理サーバ（プリントサーバ）１と、Ｚ台のプリンタ３ａ〜３ｚ、ｎ台のホスト装置４０１〜４０ｎとから構成され、これらがネットワーク５で接続されている。
【００２６】
電源管理サーバ１は、各プリンタ３ａ〜３ｚの電源のＯＮ、ＯＦＦを判定制御する電源制御部１１と、ネットワーク５と接続し、各種データの送受信を行うネットワークＩ／Ｆ１２と、印刷データの入出力を行う印刷データ管理部１３とから構成され、印刷要求を行うホスト装置４０１〜４０ｎと、ホスト装置の印刷要求を受け付け出力するプリンタ３ａ〜３ｚと共に、ネットワーク５に接続されている。
【００２７】
電源制御部１１は、ホスト別優先度設定部１１１と、プリンタ情報記憶部１１２と、プリンタ情報集計部１１３と、プリンタ電源判定部１１４と、プリンタ電源制御部１１５と、ホスト稼働状態監視部１１６と、プリンタ稼働状態監視部１１７とを有する。
【００２８】
ホスト稼働状態監視部１１６は、電源管理サーバ１が備えるタイマー装置（図示せず）によって、一定時間毎に各ホスト装置４０１〜４０ｎにｐｉｎｇなど特性のパケットを送信し、ホスト装置からの応答の有無を確認することで、ホスト装置に電源が入っているかどうか判定する。（ホスト装置４０１〜４０ｎが業務終了したか否かの監視方法の一例は、特開２０００−１７２４７４号公報に開示されている。）
【００２９】
プリンタ稼働状態監視部１１７は、ホスト稼働状態監視部１１６と同機能を持ち、一定時間毎にプリンタ３ａ〜３ｚの応答を確認し、プリンタの電源が入っているかどうか判定する。ホスト別優先度設定部１１１は、各ホスト装置４０１〜４０ｎの使用優先度設定値とプリンタの機能（性能）の優先度設定値とをプリンタ３ａ〜３ｚ毎に記憶する。
【００３０】
プリンタ情報集計部１１３では、ホスト別優先度設定値による各プリンタ３ａ〜３ｚの優先度と、一定時間毎に得られる、ホスト装置４０１〜４０ｎとプリンタ３ａ〜３ｚの稼働状態の情報から、各時点でそれぞれのプリンタ３ａ〜３ｚの優先度Ｐを計算する。
【００３１】
プリンタ電源判定部１１４では、プリンタ３ａ〜３ｚの電源をＯＦＦにするかどうか、予め設定された基準値Ｓを記憶するメモリを有し、プリンタ情報集計部１１３で計算された優先度Ｐと基準値Ｓの比較を行う。
【００３２】
電源管理装置１における電源管理の手段の一例について、図２を用いて説明する。この電源管理サーバ１は、ステップＳ２０１でホスト稼働状態監視部、プリンタ稼働状態監視部が、ネットワーク上のホスト装置とプリンタの電源を監視し、稼働しているホスト装置の有無をステップＳ２０２で確認する。そして、稼働しているホスト装置が１台も存在しなければ、ステップＳ２０７でプリンタ電源制御部が、全てのプリンタの電源をＯＦＦにし、処理を終了する。
【００３３】
稼働しているホスト装置が存在する場合は、プリンタ稼働状態監視部がステップＳ２０３で、２台以上のプリンタが稼働しているか確認する。そして、１台しかプリンタが稼働していない場合は、全ホスト装置の電源がＯＦＦになるまで、そのプリンタを起動させておく必要があるため、ステップＳ２０１に戻り、一定時間毎にホスト稼働状態監視部が、ホスト装置の電源監視を行う。
【００３４】
ステップＳ２０３でプリンタ稼働状態監視部により、２台以上のプリンタが稼働していると確認された場合、ステップＳ２０４でプリンタ情報集計部が、各プリンタの優先度Ｐを計算する。
【００３５】
優先度の計算の一例について、以下に説明する。各ホスト装置は優先度として、合計１０ポイントの持ち点を各プリンタ及び各機能（Ａ３、再生紙、カラー、…両面）に割り当てることができるものとする。（ここで、各プリンタに割り当てるポイントは持ち点１ポイントにつき１点、カラー機能に割り当てるポイントは持ち点１ポイントにつき３点、両面機能に割り当てるポイントは持ち点１ポイントにつき２点とする。また、各機能に割り当てられた点は、その機能を有するプリンタに加えられるものとする）。ここで、各ホスト装置は、ホスト別優先度設定部における内容を図３に示すように、各プリンタ及びプリンタの機能に持ち点を割り当てたとする。ここで、例えば図４（ａ）に示すように、各ホスト装置の電源が設定されている場合には、各プリンタにおける優先度Ｐの結果はそれぞれ図４（ｂ）に示すようになる。
【００３６】
ステップＳ２０５でプリンタ電源判定部が、プリンタ情報集計部で得た優先度Ｐの合計に、プリンタ電源判定部のメモリに設定された基準値Ｓ以下の値のプリンタがないかどうか判定する。ここでプリンタの電源ＯＮ、ＯＦＦの基準となる値を３と設定した場合を考える。この場合、優先度の合計が３以下のプリンタが存在すれば、プリンタ電源判定部はそのプリンタの必要性は低いと判断し、プリンタ電源制御部がステップＳ２０６で、遠隔操作により、そのプリンタの電源をＯＦＦにする。
【００３７】
ここで、例えば上述した図４（ａ）の場合には、プリンタ情報集計部で計算した結果、優先度「３」以下のプリンタは存在しないため、プリンタ電源判定部では、プリンタＡ〜Ｚが必要とされ、ステップＳ２０１に戻り、ホスト稼働状態監視部及びプリンタ稼働状態監視部が一定時間毎の稼働状態監視を続ける。
【００３８】
また、ホスト稼働状態監視部が、いずれかのホスト装置からのパケット応答を得られない場合、該当ホスト装置の電源はＯＦＦにされたと判断し、プリンタ情報集計部に情報を伝える。プリンタ情報集計部は、ホスト別優先度設定部の情報とホスト装置の稼働状態を元に、プリンタ情報を再集計し、プリンタ電源判定部に計算した優先度を伝える。プリンタ電源判定部は、プリンタ情報集計部からの情報を元に各優先度を計算し、プリンタの電源ＯＮ、ＯＦＦの基準値Ｓと比較する。
【００３９】
ここで図５（ａ）のように、ホスト稼働状態監視部が、ホスト装置１からのパケット応答を得られない場合、ホスト装置１の電源はＯＦＦにされたと判定し、プリンタ情報集計部で計算した結果、図５（ｂ）に示すようにプリンタＡの優先度が「３」となる。プリンタ電源判定部で設定される値は「３」であるため、プリンタＡは必要ないと判断される。プリンタ電源制御部は、Ｓ２０６でプリンタＡの電源を遠隔操作によりＯＦＦにし、Ｓ２０１に戻り、ホスト稼働状態監視部、プリンタ稼働状態監視部が監視を続ける。
【００４０】
同様に、図６（ａ）のように、ホスト３の電源がＯＦＦとなった場合は、図６（ｂ）に示すようにプリンタＣの優先度が３となり、これは設定値「３」以下となるため、プリンタＣの電源がＯＦＦにされることとなる。
【００４１】
印刷データ管理部は、ネットワークを介して、各ホスト装置から発信される印刷要求を受け付け、要求されたプリンタＡ〜Ｚへ印刷データを送信すると共に、印刷を行なったホスト装置の情報をプリンタ情報記憶部に記憶させる。
【００４２】
上記の構成において、ホスト別優先度設定部で、各ホスト装置にとっての各プリンタの優先度とプリンタの機能（性能）とを設定することで、ユーザの業務に必要とする機能（性能）を備えたプリンタの電源を入れておくように指定することができる。
【００４３】
実施の形態２を説明する。本実施の形態では、実施の形態１の電源管理サーバと比較して、さらにネットワーク５を介して共有ファイルサーバ２を接続した印刷システムである。
【００４４】
共有ファイルサーバ２は、図７に示すように、スケジュールデータファイル２１１とユーザ情報ファイル２１２とを記憶する記憶部２１と、記憶部２１に接続され、スケジュール管理手段を有する制御部２３と、各種データの送受信を行なうネットワークＩ／Ｆ２２とから構成されている。
【００４５】
スケジュールデータファイル２１１には、図８（ａ）に示すように、ネットワーク５に接続されたホスト装置を介して、ユーザによって書き込まれた会議などのイベントの開始日時や終了日時、イベントで使用される資料（あるいは資料の格納場所）の書き込まれたスケジュールデータが格納されている。スケジュールデータファイル２１１はホスト装置を介して見ることができ、ユーザはスケジュールデータを参照しながら仕事を進めるようになっている。上記イベントで使用される資料は、図８（ｂ）に示すように、ユーザＩＤおよび印刷条件として指定されたプリンタの機能を格納可能なイベント資料ファイルとなっている。イベント資料ファイルでは、資料作成日時と更新日時が自動的に設定されるようになっている。ユーザ情報ファイル２１２には、図８（ｃ）に示すように、ユーザＩＤに対応するホスト装置がどの装置となるか分かるデータが格納されている。
【００４６】
制御部２３のスケジュール管理手段は、イベント資料ファイルに印刷条件として指定されたプリンタの機能が、どのホスト装置にとっての優先度になるかを、資料ファイルのユーザＩＤを元にユーザ情報ファイルから割り出す。そして指定されたプリンタの機能を、割り出したホスト装置にとってのプリンタの機能の優先度となるように変換し、この変換した優先度をスケジュールデータファイルに書き込まれたイベントの開始日時よりも前に、電源管理サーバのホスト別優先度設定部に通知するようになっている。このようにすれば、スケジュールデータファイルに書き込まれたイベント開始日時に基づいて、イベントの開始日時よりも前に、印刷条件として指定されたプリンタの機能を優先度としてホスト別優先度設定部へ通知することで、ユーザの業務に必要とする機能を備えたプリンタの電源を自動的に入れておくように設定することができる。
【００４７】
上記構成の印刷システムにおいて、ユーザが会議に向けて資料を作成する場合について考える。ユーザの作成した資料には、ユーザＩＤと資料の印刷条件が設定される。ここでは印刷条件として両面、再生用紙印刷が設定されたとする。次に、ユーザはスケジュールデータに会議の名前、開催場所、開始日時および終了日時を書き込む。このとき資料の格納場所も合わせて書き込んでおく。
【００４８】
このようにすれば、通常、各ホスト装置にとっての各プリンタの優先度とプリンタの機能の優先度とは、図９（ａ）に示すようになるようホスト別優先度設定部に設定されているが、会議の開始日時よりも前には、スケジュール管理手段により、図９（ｂ）に示すように再生紙と両面印刷機能に優先度が設定され、再生紙と両面印刷可能なプリンタの電源が入るように自動的に設定される。ここで、イベント終了日時の所定時間後には、電源管理ホストの優先度設定部へ通知し、優先度を通知する前の設定状態に戻すように通知する、スケジュール管理手段とすることもできる。このように、イベント終了日時の所定の時間後に、スケジュール管理手段はホスト別優先度設定部に予め設定されていた優先度となるように通知することで、イベントが終了し、イベントで用いられる資料が印刷される必要がなくなれば、プリンタの優先度を通常設定されている状態に自動的に戻すことができる。
【００４９】
実施の形態２の変形例を説明する。本変形例の印刷システムにおいては、図１０に示すように、各ホスト装置４の制御部４３にプリンタドライバ設定手段４３１とプリンタ優先度設定手段４３２とスケジュール管理手段４３３とを設けて、ホスト装置側のスケジュールデータファイル４１１に基づいて、電源管理サーバを制御する構成としている。なお、他の例として、スケジュールデータファイルに、図１１に示すようにイベント資料配布日時を書き込めるようにしておき、資料配布日時に基づいて、電源管理装置のホスト別優先度設定部に通知するようにしてもよい。これによれば、イベント資料配布日時に基づいて、イベント資料配布日時よりも前に、印刷条件として指定されたプリンタの機能を優先度としてホスト別優先度設定部へ通知することで、イベントに先立って資料を配布する場合に、スケジュールデータファイルに設定したイベント開始日時の影響を受けることがなくなる。
【００５０】
なお、上記実施例では、印刷システム及び電源管理装置を説明したが、コンピュータにこの電源管理装置におけるプリンタ電源制御部としての機能を実現させるためのプログラムからなるコンピュータ・ソフトウエア又はこれを格納したコンピュータ読取可能な記録媒体（例えばＣＤ−ＲＯＭ）を使用することも可能である。
【００５１】
【発明の効果】
本発明によれば、複数のホストで共有している複数のプリンタの電源管理の判定データとして、各ホストのプリンタ優先度と併せて（または代わりに）必要とされるプリンタの機能（性能）を指定でき、さらに、スケジュールに設定された特定業務に対応する必要機能（性能）を電源管理の判定データとして自動的・一時的に設定することが可能な電源管理装置、ファイルサーバ及び印刷システムを得ることができる。
【図面の簡単な説明】
【図１】実施の形態１の印刷システムの説明図。
【図２】実施の形態１の印刷システムにおける電源管理の手順の一例の説明図。
【図３】実施の形態１の印刷システムのホスト別優先度設定部における持ち点割当ての一例の説明図。
【図４】実施の形態１の印刷システムのプリンタ情報集計部における計算結果の一例の説明図。
【図５】実施の形態１の印刷システムのプリンタ情報集計部における計算結果の別の例の説明図。
【図６】実施の形態１の印刷システムのプリンタ情報集計部における計算結果の第３の例の説明図。
【図７】実施の形態２の印刷システムの説明図。
【図８】実施の形態２の印刷システムにおけるスケジュールデータファイルの一例の説明図。
【図９】実施の形態２の印刷システムにおけるホスト別優先度設定部の説明図。
【図１０】実施の形態２の印刷システムにおけるホスト装置の変形例の説明図。
【図１１】実施の形態２の印刷システムのスケジュールデータファイルの別の例の説明図。
【符号の説明】
１　電源管理サーバ
１１　電源制御部
１１１　ホスト別優先度設定部
１１２　プリンタ情報記憶部
１１３　プリンタ情報集計部
１１４　プリンタ電源判定部
１１５　プリンタ電源制御部
１１６　ホスト稼働状態監視部
１１７　プリンタ稼働状態監視部
１２　ネットワークＩ／Ｆ
１３　印刷データ管理部
２　共有ファイルサーバ
２１　記憶部
２１１　スケジュールデータファイル
２１２　ユーザ情報ファイル
２１３　会議フォルダ
２２　ネットワークＩ／Ｆ
２３　制御部
３ａ〜３ｚ　プリンタ
４、４０１〜４０ｎ　ホスト装置
４１　記憶部
４１１　スケジュールデータファイル
４１２　ユーザ情報ファイル
４１３　会議フォルダ
４２　ネットワークＩ／Ｆ
４３　制御部
４３１　プリンタドライバ設定手段
４３２　プリンタ優先度設定手段
４３３　スケジュール管理手段
５　ネットワーク
【図１】
2004070817.tif 000003
【図２】
2004070817.tif 000004
【図３】
2004070817.tif 000005
【図４】
2004070817.tif 000006
【図５】
2004070817.tif 000007
【図６】
2004070817.tif 000008
【図７】
2004070817.tif 000009
【図８】
2004070817.tif 000010
【図９】
2004070817.tif 000011
【図１０】
2004070817.tif 000012
【図１１】
2004070817.tif 000013